(57)【要約】【課題】荷主にとっての所望の輸送品質による荷物の輸送を可能にすると共に、輸送者における荷積みの時間短縮及び労力軽減を図る。【解決手段】荷積み支援装置１０は、荷物を識別する荷物ＩＤと荷物の輸送に関する希望情報とを関連付けた荷物情報を取得する取得部１２であって、希望情報は、少なくとも一つの荷物の輸送品質に関する輸送品質パラメータを含む、取得部１２と、荷室の積載空間を仮想的に分割して形成された複数の荷物空間のそれぞれに割り当てられた荷物空間ＩＤと、各荷物空間の荷物空間パラメータとを関連付けた荷物空間情報を参照して、各荷物の輸送品質パラメータに該当する荷物空間パラメータを有する荷物空間を抽出する抽出部１３と、荷物の荷物ＩＤと当該荷物の希望情報に基づいて抽出された荷物空間の荷物空間ＩＤとを関連付けた荷積み情報を出力する出力部１４と、を備える。【選択図】図２
2020194476.tif 000002
【特許請求の範囲】
【請求項１】
車両の荷室への荷物の積み込みを支援する荷積み支援システムであって、
荷物を識別する荷物ＩＤと前記荷物の輸送に関する希望情報とを関連付けた荷物情報を取得する取得部であって、前記希望情報は、少なくとも一つの、荷物の輸送品質に関する輸送品質パラメータを含む、取得部と、
前記荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の前記希望情報に含まれる前記輸送品質パラメータに該当する前記荷物空間パラメータを有する前記荷物空間を抽出する抽出部と、
前記荷物の前記荷物ＩＤと、当該荷物の前記希望情報に基づいて前記抽出部により抽出された前記荷物空間の前記荷物空間ＩＤとを関連付けた荷積み情報を出力する出力部と、
を備える荷積み支援システム。
【請求項２】
前記希望情報は、複数の輸送品質パラメータを含み、
前記抽出部は、前記希望情報に含まれる複数の前記輸送品質パラメータのそれぞれに該当する前記荷物空間パラメータを有する前記荷物空間を抽出する、
請求項１に記載の荷積み支援システム。
【請求項３】
前記希望情報は、輸送時の温度変化の大小を示す温度パラメータ、輸送時の振動の大小を示す振動パラメータ、及び、輸送料金の高低を示す料金パラメータのうちの少なくとも一つを前記輸送品質パラメータとして含み、
前記荷物空間パラメータは、前記輸送品質パラメータに対応するパラメータを含む、
請求項１または２に記載の荷積み支援システム。
【請求項４】
前記希望情報は、前記荷物の輸送距離に関する距離情報を含み、
前記荷物空間情報は、各荷物空間の荷室の搬出入位置からの距離に応じた情報を含み、
前記抽出部は、複数の荷物のうちの第１の荷物の輸送距離が前記複数の荷物のうちの第２の荷物の輸送距離より長い場合に、前記第２の荷物に対して抽出された前記荷物空間の搬出入位置からの距離が、前記第１の荷物に対して抽出された前記荷物空間の搬出入位置からの距離より短くなるように、前記第１の荷物及び前記第２の荷物のそれぞれの荷物空間を抽出する、
請求項１〜３のいずれか一項に記載の荷積み支援システム。
【請求項５】
前記取得部は、前記荷物の積み込み地点及び荷下ろし地点の情報を取得し、前記積み込み地点及び前記荷下ろし地点の情報に基づいて、前記距離情報を取得する、
請求項４に記載の荷積み支援システム。
【請求項６】
車両の荷室への荷物の積み込みを支援する荷積み支援システムにおける荷積み支援方法であって、
荷物を識別する荷物ＩＤと前記荷物の輸送に関する希望情報とを関連付けた荷物情報を取得する取得ステップであって、前記希望情報は、少なくとも一つの、荷物の輸送品質に関する輸送品質パラメータを含む、取得ステップと、
前記荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の前記希望情報に含まれる前記輸送品質パラメータに該当する前記荷物空間パラメータを有する前記荷物空間を抽出する抽出ステップと、
前記荷物の前記荷物ＩＤと、当該荷物の前記希望情報に基づいて前記抽出ステップにおいて抽出された前記荷物空間の前記荷物空間ＩＤとを関連付けた荷積み情報を出力する出力ステップと、
を有する荷積み支援方法。
【請求項７】
コンピュータを、車両の荷室への荷物の積み込みを支援する荷積み支援システムとして機能させるための荷積み支援プログラムであって、
前記コンピュータに、
荷物を識別する荷物ＩＤと前記荷物の輸送に関する希望情報とを関連付けた荷物情報を取得する取得機能であって、前記希望情報は、少なくとも一つの、荷物の輸送品質に関する輸送品質パラメータを含む、取得機能と、
前記荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の前記希望情報に含まれる前記輸送品質パラメータに該当する前記荷物空間パラメータを有する前記荷物空間を抽出する抽出機能と、
前記荷物の前記荷物ＩＤと、当該荷物の前記希望情報に基づいて前記抽出機能により抽出された前記荷物空間の前記荷物空間ＩＤとを関連付けた荷積み情報を出力する出力機能と、
を実現させる荷積み支援プログラム。
【発明の詳細な説明】
【技術分野】
【０００１】
本発明は、荷積み支援システム、荷積み支援方法及び荷積み支援プログラムに関する。
【背景技術】
【０００２】
車両による荷物の輸送においては、荷室における荷物の配置は、荷物の形状、大きさ及び輸送距離等に基づいてドライバが裁量により決定していた。荷室における荷物の配置に関して、仮想的に分割されたブロックのいずれかに物品を積載する技術が知られている（例えば、特許文献１参照）。
【先行技術文献】
【特許文献】
【０００３】
【特許文献１】特開２００９−１２８３４号公報
【発明の概要】
【発明が解決しようとする課題】
【０００４】
車両による荷物の輸送においては、荷主が、荷物の性質等に起因して、輸送料金を含む適切な輸送品質により輸送されることを所望する場合があった。しかしながら、従来においては、輸送者であるドライバの裁量により荷物の荷積みが行われていたので、荷主が輸送品質を指定することはできなかった。一方、ドライバの裁量により荷物の積載位置が決定されていたので、その決定のために労力及び時間を要していた。
【０００５】
そこで、本発明は、荷主にとっての所望の輸送品質による荷物の輸送を可能にすると共に、輸送者における荷積みの時間短縮及び労力軽減を図ることを目的とする。
【課題を解決するための手段】
【０００６】
本発明の一形態に係る荷積み支援システムは、車両の荷室への荷物の積み込みを支援する荷積み支援システムであって、荷物を識別する荷物ＩＤと荷物の輸送に関する希望情報とを関連付けた荷物情報を取得する取得部であって、希望情報は、少なくとも一つの、荷物の輸送品質に関する輸送品質パラメータを含む、取得部と、荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の希望情報に含まれる輸送品質パラメータに該当する荷物空間パラメータを有する荷物空間を抽出する抽出部と、荷物の荷物ＩＤと、当該荷物の希望情報に基づいて抽出部により抽出された荷物空間の荷物空間ＩＤとを関連付けた荷積み情報を出力する出力部と、を備える。
【０００７】
本発明の一形態に係る荷積み支援方法は、車両の荷室への荷物の積み込みを支援する荷積み支援システムにおける荷積み支援方法であって、荷物を識別する荷物ＩＤと荷物の輸送に関する希望情報とを関連付けた荷物情報を取得する取得ステップであって、希望情報は、少なくとも一つの、荷物の輸送品質に関する輸送品質パラメータを含む、取得ステップと、荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の希望情報に含まれる輸送品質パラメータに該当する荷物空間パラメータを有する荷物空間を抽出する抽出ステップと、荷物の荷物ＩＤと、当該荷物の希望情報に基づいて抽出ステップにおいて抽出された荷物空間の荷物空間ＩＤとを関連付けた荷積み情報を出力する出力ステップと、を有する。
【０００８】
本発明の一形態に係る荷積み支援プログラムは、コンピュータを、車両の荷室への荷物の積み込みを支援する荷積み支援システムとして機能させるための荷積み支援プログラムであって、コンピュータに、荷物を識別する荷物ＩＤと荷物の輸送に関する希望情報とを関連付けた荷物情報を取得する取得機能であって、希望情報は、少なくとも一つの、荷物の輸送品質に関する輸送品質パラメータを含む、取得機能と、荷室において荷物が積載される積載空間を仮想的に分割して形成された複数の荷物空間のそれぞれに割り当てられた荷物空間ＩＤと、各荷物空間の輸送品質に関するパラメータである荷物空間パラメータとを関連付けた荷物空間情報を参照して、各荷物の希望情報に含まれる輸送品質パラメータに該当する荷物空間パラメータを有する荷物空間を抽出する抽出機能と、荷物の荷物ＩＤと、当該荷物の希望情報に基づいて抽出部により抽出された荷物空間の荷物空間ＩＤとを関連付けた荷積み情報を出力する出力機能と、を実現させる。
【０００９】
上記の形態によれば、荷主であるユーザの入力に基づき、輸送対象の荷物に関する輸送品質パラメータを含む希望情報が取得され、取得された輸送品質パラメータに該当する荷物空間パラメータを有する荷物空間が抽出される。これにより、荷主の所望する輸送品質を有する荷物空間を、輸送対象の荷物に割り当てることができる。また、荷物の荷物ＩＤと当該荷物に割り当てられた荷物空間の荷物空間ＩＤとを関連付けた荷積み情報が出力されるので、輸送者が荷積み情報を参照することにより、荷積みの作業の時間短縮及び労力軽減が実現される。
【００１０】
別の形態に係る荷積み支援システムでは、希望情報は、複数の輸送品質パラメータを含み、抽出部は、希望情報に含まれる複数の輸送品質パラメータのそれぞれに該当する荷物空間パラメータを有する荷物空間を抽出することとしてもよい。
【００１１】
上記形態によれば、複数の輸送品質パラメータが希望情報に含まれ、各輸送品質パラメータに該当する荷物空間パラメータを有する荷物空間が抽出されるので、荷主が所望する複数の項目の輸送品質が満たされるような荷物空間を、輸送対象の荷物に割り当てることができる。
【００１２】
別の形態に係る荷積み支援システムでは、希望情報は、輸送時の温度変化の大小を示す温度パラメータ、輸送時の振動の大小を示す振動パラメータ、及び、輸送料金の高低を示す料金パラメータのうちの少なくとも一つを輸送品質パラメータとして含み、荷物空間パラメータは、輸送品質パラメータに対応するパラメータを含むこととしてもよい。
【００１３】
上記形態によれば、  輸送品質パラメータとして、温度パラメータ、振動パラメータ及び料金パラメータを希望情報に含みうるので、荷主が所望する温度、振動及び料金に関する輸送品質が満たされるような荷物空間を、輸送対象の荷物に割り当てることができる。
【００１４】
別の形態に係る荷積み支援システムでは、希望情報は、荷物の輸送距離に関する距離情報を含み、荷物空間情報は、各荷物空間の荷室の搬出入位置からの距離に応じた情報を含み、抽出部は、複数の荷物のうちの第１の荷物の輸送距離が複数の荷物のうちの第２の荷物の輸送距離より長い場合に、第２の荷物に対して抽出された荷物空間の搬出入位置からの距離が、第１の荷物に対して抽出された荷物空間の搬出入位置からの距離より短くなるように、第１の荷物及び第２の荷物のそれぞれの荷物空間を抽出することとしてもよい。
【００１５】
上記形態によれば、輸送距離が短い荷物ほど搬出入位置に近い荷物空間が割り当てられることになるので、荷下ろし地点等において荷室内における荷物の配置の変更等の手間が軽減されるので、輸送者における荷積みの時間短縮及び労力軽減を図ることができる。
【００１６】
別の形態に係る荷積み支援システムでは、取得部は、荷物の積み込み地点及び荷下ろし地点の情報を取得し、積み込み地点及び荷下ろし地点の情報に基づいて、距離情報を取得することとしてもよい。
【００１７】
上記形態によれば、距離情報の直接の入力がなくとも、荷物の輸送距離の情報が容易に取得される。
【発明の効果】
【００１８】
本発明の一側面によれば、荷主にとっての所望の輸送品質による荷物の輸送を可能にすると共に、輸送者における荷積みの時間短縮及び労力軽減を図ることが可能となる。
【図面の簡単な説明】
【００１９】
【図１】本実施形態に係る荷積み支援装置を含む荷積み支援システムの装置構成を示す図である。
【図２】荷積み支援装置の機能的構成を示すブロック図である。
【図３】荷積み支援装置のハードウェア構成を示す図である。
【図４】輸送品質パラメータの設定画面の例を示す図である。
【図５】荷物情報の構成及び記憶されているデータの例を示す図である。
【図６】荷室の積載空間に形成された荷物空間の例を模式的に示す図である。
【図７】荷物空間情報の構成及び記憶されているデータの例を示す図である。
【図８】荷積み情報の構成及び記憶されているデータの例を示す図である。
【図９】荷積み支援システムにおいて実施される荷積み支援方法の処理内容を示すフローチャートである。
【図１０】荷積み支援プログラムの構成を示す図である。
【発明を実施するための形態】
【００２０】
以下、添付図面を参照しながら本発明の実施形態を詳細に説明する。なお、図面の説明において同一又は同等の要素には同一の符号を付し、重複する説明を省略する。
【００２１】
図１は、本実施形態に係る荷積み支援装置を含む荷積み支援システムの装置構成を示す図である。図１に示される荷積み支援システム１は、荷積み支援装置１０、輸送者に所持または車両に搭載される端末２０及び荷主の端末３０を含んで構成される。荷積み支援装置１０、端末２０及び端末３０はネットワークＮを介して互いに通信可能である。ネットワークＮは、無線ネットワークである。荷積み支援装置１０は、車両の荷室への荷物の積み込みを支援する荷積み支援システムを構成しうる。なお、図１には、２台の端末２０及び３台の端末３０が示されているが、その数は限定されない。
【００２２】
図２は、荷積み支援装置１０の機能的構成を示すブロック図である。荷積み支援装置１０は、例えば、サーバ等のコンピュータにより構成される。本実施形態の荷積み支援装置１０は、図２に示すように、機能的には、受付部１１、取得部１２、抽出部１３及び出力部１４を備える。また、荷積み支援装置１０の各機能部は、荷物情報記憶部１６及び荷物空間情報記憶部１８といった記憶手段にアクセス可能に構成されている。荷物情報記憶部１６及び荷物空間情報記憶部１８は、荷積み支援装置１０に構成されてもよいし、荷積み支援装置１０の外部の他の装置として構成されてもよい。
【００２３】
図３は、荷積み支援装置１０のハードウェア構成図である。荷積み支援装置１０は、物理的には、図３に示すように、ＣＰＵ１０１、ＲＡＭ及びＲＯＭといったメモリにより構成される主記憶装置１０２、ハードディスク等で構成される補助記憶装置１０３、通信制御装置１０４などを含むコンピュータシステムとして構成されている。荷積み支援装置１０は、入力デバイスであるキーボード、タッチパネル、マウス等の入力装置１０５及びディスプレイ等の出力装置１０６をさらに含むこととしてもよい。
【００２４】
図２に示した各機能は、図３に示すＣＰＵ１０１、主記憶装置１０２等のハードウェア上に所定のコンピュータソフトウェアを読み込ませることにより、ＣＰＵ１０１の制御のもとで通信制御装置１０４等を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。なお、端末２０及び端末３０も、図３に示すようなハードウェア構成を有するコンピュータシステムとして構成されてもよい。なお、本実施形態では、各機能部１１〜１４が、荷積み支援装置１０に構成されることとしているが、複数のコンピュータに分散して構成されることとしてもよい。また、各機能部１１〜１４の一部は、端末２０または端末３０に構成されることとしてもよい。
【００２５】
端末２０を構成する装置は限定されず、例えば、車両に備え付けられるコンピュータ端末であってもよいし、高機能携帯電話機（スマートフォン）、タブレット型のコンピュータ、携帯電話機、携帯情報端末（ＰＤＡ）などの携帯端末であってもよい。また、端末３０を構成する装置は限定されず、据え置き型のコンピュータ装置であってもよいし、高機能携帯電話機（スマートフォン）、タブレット型のコンピュータ、携帯電話機、携帯情報端末（ＰＤＡ）などの携帯端末であってもよい。
【００２６】
再び図２を参照して、荷積み支援装置１０の各機能部を説明する。受付部１１は、荷主であるユーザによる希望情報の入力を荷物情報として受け付ける。希望情報は、荷物の輸送に関する荷主の希望内容を含む情報であって、少なくとも一つの、荷物の輸送品質に関する輸送品質パラメータを含む。
【００２７】
図４は、荷主の端末３０における輸送品質パラメータの設定画面の例を示す図である。図４に示す例では、温度パラメータ、振動パラメータ及び料金パラメータが輸送品質パラメータとして設定される。温度パラメータは、輸送時の温度変化の大小を示す。振動パラメータは、輸送時の振動の大小を示す。料金パラメータは、輸送料金の高低を示す。図４に示す例では、温度パラメータ「１０」、振動パラメータ「１０」及び料金パラメータ「８」が輸送品質パラメータとして設定されている。
【００２８】
また、各輸送品質パラメータに優先度を設定することが可能である。優先度は、後述される荷物空間の抽出及び割り当てにおいて、各パラメータの優先させるべき度合いを示す。図４に示す例では、温度パラメータに対して優先度「１」、振動パラメータに対して優先度「３」、料金パラメータに対して優先度「２」が設定されている。
【００２９】
また、設定画面において、当該荷物の積み込み地点及び荷下ろし地点が入力されることとしてもよい。図４に示す例では、積み込み地点「Ｄ１」及び荷下ろし地点「Ｅ１」が設定されている。
【００３０】
受付部１１は、設定画面において入力され、端末３０から送信された各荷物の希望情報等を受け付ける。そして、受付部１１は、受け付けた希望情報等を、当該荷物を識別するにも荷物ＩＤを関連付けて、荷物情報として荷物情報記憶部１６に記憶させる。荷物情報記憶部１６は、荷物ＩＤと希望情報等を関連付けた荷物情報を記憶する記憶手段である。
【００３１】
図５は、荷物情報の構成及び含まれるデータの例を示す図である。荷物情報は、各荷物を識別する荷物ＩＤに関連付けられた希望情報、優先順位、積み込み地点及び荷下ろし地点の情報を含む。希望情報は、温度パラメータ、振動パラメータ及び料金パラメータを輸送品質パラメータとして含む。例えば、荷物ＩＤ「Ｃ０１」の荷物情報は、温度パラメータ「１０」、振動パラメータ「１０」及び料金パラメータ「８」が輸送品質パラメータとして設定された希望情報、優先順位「１．温度−２．振動−３．料金」、積み込み地点「Ｄ１」及び荷下ろし地点「Ｅ１」といった情報を含む。
【００３２】
取得部１２は、荷物を識別する荷物ＩＤと荷物の輸送に関する希望情報とを関連付けた荷物情報を取得する。本実施形態では、取得部１２は、受付部１１により受け付けられ、荷物情報記憶部１６に記憶された荷物情報を取得する。荷物情報は、上述のとおり、希望情報を含み、希望情報は、上述のとおり、輸送品質パラメータを含む。
【００３３】
抽出部１３は、各荷物の希望情報に含まれる輸送品質パラメータに該当する荷物空間パラメータを有する荷物空間を抽出する。荷物空間は、車両の荷室において荷物が積載される積載空間を仮想的に分割して形成された空間である。各荷物空間には、荷物の輸送における輸送品質に関するパラメータである荷物空間パラメータが割り当てられている。
【００３４】
図６は、荷室の積載空間に形成された荷物空間の例を模式的に示す図である。図６に示されるように、車両Ｔの荷室の積載空間が仮想的に複数の荷物空間に分割されている。そして、各荷物空間には、荷物空間ＩＤ（Ａ−１〜１０，Ｂ−１〜１０）が割り振られている。
【００３５】
図７は、荷物空間情報の構成及び記憶されているデータの例を示す図である。荷物空間情報は、荷物空間ＩＤに関連付けられた荷物空間パラメータを含む。また、荷物空間情報は、搬出入位置からの距離を示す情報をさらに含んでもよい。図７に示す例では、荷物空間パラメータは、輸送品質パラメータに対応するように、温度パラメータ、振動パラメータ及び料金パラメータを含む。
【００３６】
温度パラメータは、輸送時の温度変化の大小を示し、数字が大きいほど温度変化が小さいことを示す。振動パラメータは、輸送時の振動の大小を示し、数字が大きいほど振動が小さいことを示す。料金パラメータは、輸送料金の高低を示し、数字が大きいほど料金が高いことを示す。
【００３７】
図７に示す例では、例えば、荷物空間ＩＤ「Ａ−１」の荷物空間には、温度パラメータ「２」、振動パラメータ「２」及び料金パラメータ「２」が荷物空間パラメータとして関連付けられており、搬出入位置からの距離「１」という情報がさらに関連付けられている。
【００３８】
また、抽出部１３による、一つの輸送品質パラメータに基づく荷物空間の抽出処理の例を説明する。まず、抽出部１３は、処理対象の荷物の希望情報に含まれる輸送品質パラメータを取得する。次に、抽出部１３は、荷物空間情報を参照して、輸送品質パラメータに該当する荷物空間パラメータを有する荷物空間ＩＤを抽出する。輸送品質パラメータに該当する荷物空間パラメータは、例えば、両パラメータが同一の基準に従って設定されたものである場合には、輸送品質パラメータの値に一致する値を有する荷物空間パラメータ、または、輸送品質パラメータの値との差が所定範囲以内の値を有する荷物空間パラメータであることができる。また、両パラメータの対応関係が予め設定されている場合には、設定された対応関係に従って、輸送品質パラメータに該当する荷物空間パラメータを取得できる。
【００３９】
また、抽出部１３は、輸送品質パラメータに該当する荷物空間パラメータを有する荷物空間が存在しない場合、または、輸送品質パラメータに該当する荷物空間パラメータを有する荷物空間が既に他の荷物に割り当てられている場合には、輸送品質パラメータに該当しない荷物空間パラメータを有する荷物空間のうち、輸送品質パラメータに最も近い値の荷物空間パラメータを有する荷物空間を抽出してもよい。
【００４０】
複数の輸送品質パラメータに基づいて荷物空間を抽出する場合には、抽出部１３は、まず、高い優先度が設定された第１の輸送品質パラメータに基づいて荷物空間を抽出し、抽出された荷物空間が複数である場合には、抽出済みの複数の荷物空間の中から、第１の輸送品質パラメータの次に高い優先度が設定された第２の輸送品質パラメータに基づいて、さらに荷物空間の抽出を実施してもよい。
【００４１】
また、一以上の輸送品質パラメータの全てに基づく荷物空間の抽出処理の実施により、一の荷物に対して複数の荷物空間の候補が抽出された場合には、抽出部１３は、複数の荷物空間の候補からランダムに一の荷物空間を抽出してもよい。また、荷物空間の搬出入位置からの距離の情報と、荷物の輸送距離に関する距離情報との対応関係が予め規定されている場合には、抽出部１３は、当該一の荷物の距離情報に対応する搬出入位置からの距離の情報を有する荷物空間を、複数の荷物空間の候補から抽出してもよい。
【００４２】
また、抽出部１３は、複数の荷物のうちの第１の荷物の輸送距離が、複数の荷物のうちの第２に荷物の輸送距離より長い場合に、第２の荷物に対して抽出された荷物空間の搬出入位置からの距離が、第１の荷物に対して抽出された荷物空間の搬出入位置からの距離より短くなるように、第１及び第２の荷物のそれぞれの荷物空間を抽出してもよい。
【００４３】
例えば、複数の荷物に対する荷物空間の抽出処理を実施した結果、一の荷物空間に複数の荷物（第１の荷物及び第２の荷物）が競合して割り当てられ、第１の荷物の輸送距離が第２に荷物の輸送距離より長い場合には、抽出部１３は、第１の荷物に対して、搬出入位置からの距離が遠くなる方向に当該一の荷物空間に隣接する荷物空間を抽出してもよいし、又は、第２の荷物に対して、搬出入位置からの距離が近くなる方向に当該一の荷物空間に隣接する荷物空間を抽出してもよい。
【００４４】
なお、各荷物の距離情報は、各荷物の積み込み地点及び荷下ろし地点の情報に基づいて、取得部１２により取得されることとしてもよい。具体的には、積み込み地点及び荷下ろし地点の組み合わせと輸送距離とを対応付けた対応情報を予め荷積み支援装置１０がアクセス可能な記憶手段に設定しておき、取得部１２は、対応情報を参照して、各荷物の積み込み地点及び荷下ろし地点の情報に基づいて輸送距離を示す距離情報を取得することとしてもよい。
【００４５】
再び図２を参照して、出力部１４は、荷物の荷物ＩＤと、当該荷物の希望情報に基づいて抽出部１３により抽出された荷物空間の荷物空間ＩＤとを関連付けた荷積み情報を出力する。
【００４６】
図８は、荷積み情報の構成及び記憶されているデータの例を示す図である。図８に示されるように、荷積み情報は、荷物ＩＤに関連付けられた荷物空間ＩＤを含む。例えば、荷物ＩＤ「Ｃ０１」の荷物には、荷物空間ＩＤ「Ａ−５」の荷物空間が割り当てられている。
【００４７】
出力部１４は、例えば、端末２０に荷積み情報を出力する。このように出力された荷積み情報を輸送者である車両のドライバが参照することにより、荷積みの作業の時間短縮及び労力軽減が実現される。
【００４８】
次に、図９を参照して、本実施形態の荷積み支援装置１０の動作について説明する。図９は、荷積み支援装置１０において実施される荷積み支援方法の処理内容を示すフローチャートである。
【００４９】
ステップＳ１において、取得部１２は、一の荷物の希望情報を取得する。希望情報は、例えば、荷物情報記憶部１６に記憶されている荷物情報に含まれる。
【００５０】
ステップＳ２において、抽出部１３は、各輸送品質パラメータに設定された優先度に応じて、希望情報に含まれる複数の輸送品質パラメータのうちの一つを取得する。
【００５１】
ステップＳ３において、荷物空間情報を参照して、ステップＳ２において取得した輸送品質パラメータに該当する荷物空間パラメータを有する荷物空間ＩＤを抽出する。
【００５２】
ステップＳ４において、抽出部１３は、希望情報に含まれる全ての輸送品質パラメータに基づいて荷物空間の抽出を実施したか否かを判定する。全ての輸送品質パラメータに基づく抽出処理を実施したと判定された場合には、処理はステップＳ５に進む。一方、全ての輸送品質パラメータに基づく抽出処理を実施したと判定されなかった場合には、処理はステップＳ２に戻る。
【００５３】
ステップＳ５において、抽出部１３は、輸送品質パラメータの数だけ繰り返されるステップＳ２〜ステップＳ４の抽出処理に基づき、ステップＳ１において希望情報が取得された一の荷物に対して割り当てる荷物空間（荷物空間ＩＤ）を決定する。
【００５４】
ステップＳ６において、荷積み支援装置１０は、積み込み対象の全ての荷物の荷物空間が決定されたか否かを判定する。全ての荷物の荷物空間が決定されたと判定された場合には、処理はステップＳ７に進む。一方、全ての荷物の荷物空間が決定されたと判定されなかった場合には、処理はステップＳ１に戻る。
【００５５】
ステップＳ７において、出力部１４は、荷物の荷物ＩＤと荷物空間ＩＤとを関連付けた荷積み情報を出力する。
【００５６】
次に、図１０を参照して、コンピュータを荷積み支援装置１０として機能させるための荷積み支援プログラムを説明する。荷積み支援プログラムＰ１は、メインモジュールｍ１０、受付モジュールｍ１１、取得モジュールｍ１２、抽出モジュールｍ１３及び出力モジュールｍ１４を含む。
【００５７】
メインモジュールｍ１０は、荷積み支援処理を統括的に制御する部分である。受付モジュールｍ１１、取得モジュールｍ１２、抽出モジュールｍ１３及び出力モジュールｍ１４を実行することにより、図２に示される荷積み支援装置１０の受付部１１、取得部１２、抽出部１３及び出力部１４の機能が実現される。
【００５８】
荷積み支援プログラムＰ１は、例えば、磁気ディスクや光ディスクまたは半導体メモリ等の記憶媒体Ｍ１によって提供される。また、荷積み支援プログラムＰ１は、搬送波に重畳されたコンピュータデータ信号として通信ネットワークを介して提供されてもよい。
【００５９】
以上説明した本実施形態の荷積み支援装置１０、荷積み支援方法及び荷積み支援プログラムＰ１によれば、荷主であるユーザの入力に基づき、輸送対象の荷物に関する輸送品質パラメータを含む希望情報が取得され、取得された輸送品質パラメータに該当する荷物空間パラメータを有する荷物空間が抽出される。これにより、荷主の所望する輸送品質を有する荷物空間を、輸送対象の荷物に割り当てることができる。また、荷物の荷物ＩＤと当該荷物に割り当てられた荷物空間の荷物空間ＩＤとを関連付けた荷積み情報が出力されるので、輸送者が荷積み情報を参照することにより、荷積みの作業の時間短縮及び労力軽減が実現される。
【００６０】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００６１】
１…荷積み支援システム、１０…荷積み支援装置、１１…受付部、１２…取得部、１３…抽出部、１４…出力部、１６…荷物情報記憶部、１８…荷物空間情報記憶部、２０，３０…端末、Ｍ１…記憶媒体、ｍ１０…メインモジュール、ｍ１１…受付モジュール、ｍ１２…取得モジュール、ｍ１３…抽出モジュール、ｍ１４…出力モジュール、Ｎ…ネットワーク、Ｐ１…荷積み支援プログラム。
【図１】
2020194476.tif 000003
【図２】
2020194476.tif 000004
【図３】
2020194476.tif 000005
【図４】
2020194476.tif 000006
【図５】
2020194476.tif 000007
【図６】
2020194476.tif 000008
【図７】
2020194476.tif 000009
【図８】
2020194476.tif 000010
【図９】
2020194476.tif 000011
【図１０】
2020194476.tif 000012